(57)【要約】【課題】傾斜した屋根面の勾配屋根の軒先を外壁の上端部で囲んで樋状に形成された壁勝屋根において、該壁勝屋根における樋部の防水施工をより容易に行うべく改良を加えた鋼板ユニットを提供する。【解決手段】傾斜した屋根面を有する勾配屋根２の軒先の周囲を外壁の上端部で覆うことで樋状に形成した屋根の防水構造において、底面を構成する野地板５と、外壁の上端部で構成されるパラペット４の内側面と、前記勾配屋根２の軒先の下部に配置された軒先下地板６と、から構成される樋状の下地に、樋底部に配されるスペーサ１１と、該スペーサ上に配置される鋼板１２と、該鉄板部に一体的取り付けられるとともにパラペット側及び勾配屋根側に立ち上げられたシート部材１３と、前記パラペット側に立ち上げられたシート部材１３ｂの先端部の外側に取付られた鋼板片１５と、から構成される鋼板ユニット１０を配置した。【選択図】図２
2005264601.tif 000002
【特許請求の範囲】
【請求項１】
傾斜した屋根面を有する勾配屋根の軒先の周囲を外壁の上端部で覆うことで樋状に形成した屋根の防水構造において、
底面を構成する野地板と、外壁の上端部で構成されるパラペットの内側面と、前記勾配屋根の軒先の下部に配置された軒先下地板と、から構成される樋状の下地に、
樋底部に配されるスペーサと、該スペーサ上に配置される鋼板と、該鋼板に一体的取り付けられるとともにパラペット側及び勾配屋根側に立ち上げられたシート部材と、前記パラペット側に立ち上げられたシート部材の先端部の外側に取付られた鋼板片と、から構成される鋼板ユニットを配置した
ことを特徴とする屋根の防水構造。
【請求項２】
前記鋼板ユニットの鋼板における、勾配屋根側及びパラペット側の両立ち上がり部を上方に屈曲した
ことを特徴とする請求項１に記載の屋根の防水構造。
【請求項３】
前記鋼板ユニットの勾配屋根側シート部材を、勾配屋根側の立ち上がり部から軒先下地板に沿って勾配屋根の傾斜面に固定するとともに、
パラペット側シート部材を、パラペット側の立ち上がり部からパラペット下地板に沿ってパラペット上面に固定した
ことを特徴とする請求項１又は２に記載の屋根の防水構造。
【請求項４】
前記パラペット上面に形成される水切板上に水密材を配置するとともに、
前記鋼板ユニットの鋼板片を、該水密材の上方に配置して固定した
ことを特徴とする請求項１、２、又は３に記載の屋根の防水構造。
【請求項５】
隣接して配置される前記鋼板ユニットのジョイント部を粘着テープで固定し、該粘着テープの上面に防水シートを貼設するとともに、
勾配屋根側及びパラペット側の立ち上がり部に補強シートを配置し、
樋底部であって前記防水シートの上面に保護シートを配置した
ことを特徴とする請求項１、２、３又は４に記載の屋根の防水構造。
【発明の詳細な説明】
【技術分野】
【０００１】
本発明は、傾斜した屋根面の勾配屋根の軒先を外壁の上端部で囲んで樋状に形成された壁勝屋根に関し、特に、該壁勝屋根における防水構造に関する。
【背景技術】
【０００２】
従来、傾斜した屋根面を有する勾配屋根（例えば、切妻屋根や寄棟屋根）が外壁の内側に収まるようにするとともに、外壁の上端部（パラペット）が屋根面の下側縁部より上方に延出するようにした都市向けの住宅が提案されており、意匠性の向上が図られている（例えば、特許文献１参照。）。また、このような屋根構造を有する住宅において、勾配屋根の傾斜の延長線がパラペット部の上端より下方に位置する構成とすることで、勾配屋根部から勢いよく流れる雨水がパラペットから外に飛散しないようにした技術が公開されている（特許文献２参照。）。
【０００３】
さて、本出願人は、このような住宅において、勾配屋根の軒先部を外壁の上端部で囲んで樋状に形成した壁勝屋根を提案しており、該壁勝屋根は意匠性の向上とともに勾配屋根の軒先の雨樋としての機能を果たしている。
そこで、該壁勝屋根には、パラペット部及び、屋根面と壁勝屋根との連結に雨水が浸入しないように防水を図る必要が生じてくるが、本出願人は、従来、図１３及び図１４に示すような鋼板ユニットにより樋部の防水を図っていたのである。
【０００４】
即ち、従来の鋼板ユニット５０は樋の底部に配置される鉄板５２の両側（パラペット側と勾配屋根側）に塩ビシート等のシート部材５３を一体的に溶着して構成されていた。そして、パラペット側シート部材５３ｂと勾配屋根側シート部材５３ａの端部を、パラペット側面にタッカ―等で止めるとともに、勾配屋根２の軒先に立設された軒先下地板６に対してビス等で止めるようにしていた。
そして、前記鋼板ユニット５０上面から、勾配屋根側及びパラペット側の各立ち上がり部分に塩ビ鋼板で構成される補強板を配置するとともに、前記各シート部材１３ａ・１３ｂの端部から勾配屋根の屋根面、及びパラペットの上面にかけて塩ビ鋼板のジョイント鋼板５５・５６を配置することで壁勝屋根の樋部及びパラペットの防水を図るようにしていたのである。
【０００５】
【特許文献１】特開平１１−３６５３７号公報
【特許文献２】特開２００２−２１２４３号公報
【発明の開示】
【発明が解決しようとする課題】
【０００６】
上記の背景技術に基づき、本発明においては、壁勝屋根における樋部の防水施工をより容易に行うべく改良を加えた鋼板ユニットを提供することであり、壁勝屋根の防水性の向上と施工性の向上を図ることのできる防水構造を提供するものである。
【課題を解決するための手段】
【０００７】
本発明の解決しようとする課題は以上の如くであり、次にこの課題を解決するための手段を説明する。
【０００８】
即ち、請求項１においては、傾斜した屋根面を有する勾配屋根の軒先の周囲を外壁の上端部で覆うことで樋状に形成した屋根の防水構造において、底面を構成する野地板と、外壁の上端部で構成されるパラペットの内側面と、前記勾配屋根の軒先の下部に配置された軒先下地板と、から構成される樋状の下地に、樋底部に配されるスペーサと、該スペーサ上に配置される鋼板と、該鋼板に一体的取り付けられるとともにパラペット側及び勾配屋根側に立ち上げられたシート部材と、前記パラペット側に立ち上げられたシート部材の先端部の外側に取付られた鋼板片と、から構成される鋼板ユニットを配置したものである。
【０００９】
請求項２においては、前記鋼板ユニットの鋼板における、勾配屋根側及びパラペット側の両立ち上がり部を上方に屈曲したものである。
【００１０】
請求項３においては、前記鋼板ユニットの勾配屋根側シート部材を、勾配屋根側の立ち上がり部から軒先下地板に沿って勾配屋根の傾斜面に固定するとともに、パラペット側シート部材を、パラペット側の立ち上がり部からパラペット下地板に沿ってパラペット上面に固定したものである。
【００１１】
請求項４においては、前記パラペット上面に形成される水切板上に水密材を配置するとともに、前記鋼板ユニットの鋼板片を、該水密材の上方に配置して固定したものである。
【００１２】
請求項５においては、隣接して配置される前記鋼板ユニットのジョイント部を粘着テープで固定し、該粘着テープの上面に防水シートを貼設するとともに、勾配屋根側及びパラペット側の立ち上がり部に補強シートを配置し、樋底部であって前記防水シートの上面に保護シートを配置したものである。
【発明の効果】
【００１３】
本発明の効果として、以下に示すような効果を奏する。
【００１４】
請求項１においては、壁勝屋根の防水を確実に行いうるとともに、現場での施工工程の減少及び、部材点数の削減を図ることができるのである。
【００１５】
請求項２においては、現場での施工工程の減少及び、部材点数の削減により低コストで確実な防水を図ることができる。
【００１６】
請求項３においては、軒先下地板と勾配屋根の軒先との連結を覆うようにして、連結部の防水を図ることができるとともに、パラペットの内側部及びパラペットの内側角部の防水を図ることができ、鋼板ユニットの防水範囲を向上することができる。
【００１７】
請求項４においては、パラペット側シート部材の端部の防水性を向上することができ、パラペット上面と鋼板ユニットとの接着面から雨水等の浸入を防止することができる。
【００１８】
請求項５においては、隣接して配置される鋼板ユニット間のジョイント部の防水性を向上するとともに、防水層の保護により長寿命化を図ることができる。
【発明を実施するための最良の形態】
【００１９】
次に、発明の実施の形態を説明する。
図１は本発明に係る屋根構造を示す側面断面図、図２は鋼板ユニットの構成を示す斜視図、図３は屋根側の防水構造を示す斜視図、図４は同じく側面断面図、図５はパラペット側の防水構造を示す斜視図、図６は同じく側面断面図、図７はパラペット上面の防水構造を示す拡大断面図、図８はパラペット入隅部の防水構造を示す斜視図、図９はパラペット出隅部の防水構造を示す斜視図、図１０は鋼板ユニットの勾配屋根側ジョイント部の防水構造を示す斜視図、図１１は同じくパラペット側ジョイント部の防水構造を示す斜視図、図１２はオーバーフロー管の取付構造を示す斜視図、図１３は従来の屋根側の防水構造を示す斜視図、図１４は従来のパラペット側の防水構造を示す斜視図である。
【００２０】
まず、本発明に係る壁勝屋根の構造について説明する。
図１に示すように、壁勝屋根１は、傾斜した屋根面を有する勾配屋根２が外壁３の内側に収まるようにするとともに、外壁の上端部（パラペット）４が屋根面の下側縁部より上方に延出して、樋状に形成されている。
【００２１】
該壁勝屋根１の底部は野地板５により形成され、該野地板５と、勾配屋根２の軒先下部に立設された軒先母屋７の表面（屋外側面）に配置された軒先下地板６と、パラペット４側に立設されたパラペット下地板８と、から樋状の壁勝屋根１の下地が形成されている。
そして、該壁勝屋根１の下地の表面上に鋼板ユニット１０が配置されて、樋状の壁勝屋根の防水が図られるものである。
【００２２】
図２に示すように、前記鋼板ユニット１０は、壁勝屋根１の底部となる野地板５上に配されるスペーサ１１と、該スペーサ１１の表面上に配された鋼板１２と、該鋼板１２両端に溶着されるとともに、勾配屋根側及びパラペット側に延設されたシート部材１３ａ・１３ｂと、パラペット側シート部材１３ｂの先端部に取付られた鋼板片１５から構成されている。
【００２３】
前記スペーサ１１は断熱材等で構成され、勾配屋根２側からパラペット４側に下方傾斜するように厚みを変えて形成されており、壁勝屋根１に流れる雨水が屋外側となるパラペット側へ流れるようにしている。また、前記鋼板１２は勾配屋根２側及びパラペット４側をそれぞれ上方へ屈曲させて、両側の立ち上げ部の形状と合致するように形成されている。
【００２４】
前記鋼板１２の両側立ち上がり部には、塩ビシート等の防水性を有するシート部材１３が溶着されており、鋼板１２に対して溶着されて一体的に取付けられている。
また、パラペット側のシート部材１３ｂの先端部屋外側には、鋼板片１５が溶着されており、該鋼板片１５はパラペット４の上面にビス等で固定されているものである。前記鋼板１２・１５はそれぞれ塩化ビニル等の合成樹脂を表面に貼り付けた鋼板（以下、塩ビ鋼板）で構成されている。
なお、前記シート部材１３と前記鋼板片１５の表面材とはともに塩ビ系材質で形成されているため、溶着が容易となっており一体的に形成されるものである。
【００２５】
以上のような構成の鋼板ユニット１０を壁勝屋根１の下地に配置する際には、図３及び図４に示すように、勾配屋根２側のシート部材１３ａを軒先下地板６の表面に沿わせて、該シート部材１３ａの先端側を勾配屋根２の傾斜面にタッカ―等で固定する。そして、軒先下地板６に対してシート部材１３ａの両端側をタッカ―等で固定するのである。
【００２６】
また、図示しないが、勾配屋根２の傾斜面に固定されたシート部材１３ａの先端側上にはポリエチレン等で形成される絶縁シートが施工され、該絶縁シート上には軒先水切が配置され、その上面にルーフィングが施工されるようにしている。
【００２７】
このように鋼板ユニット１０の勾配屋根側シート部材１３ａを配置することで、軒先下地板６と勾配屋根２の軒先との連結を覆うようにして、該連結部の防水を図ることができる。このため、従来のように軒先下地板６と勾配屋根２の軒先との連結にジョイント鋼板を配することなく、また立ち上がり部に補強板を配する必要がないため、施工性の向上及び部品点数の削減を図ることができる。
【００２８】
また、図５及び図６に示すように、パラペット４側のシート部材１３ｂは、パラペット下地板８の表面に沿うように配置され、該シート部材１３ｂの先端部に取付られた鋼板片１５をパラペットの上面にビス等で締結することで固定されている。
このようにパラペット４の上面に渡ってシート部材１３ｂが配置されていることで、パラペット４の内側部及びパラペット４の内側角部の防水を図ることができるのである。
【００２９】
ここで、図６及び図７にて、パラペット４上面における防水構造について説明する。
パラペット４の上面には、パラペット笠木下地レール２２上に支持された水切板２３が配置され、該水切板２３の上面には水密材２１が配置されており、該水密材２１を上方から押えつけるように、前記鋼板ユニット１０の鋼板片１５を配置しているものである。該鋼板片１５の上方には笠木取付具２４を介してパラペット笠木２５が配されている。
【００３０】
前記水密材２１はスポンジ状に形成され、両面テープ等で前記水切板２３の上面に取付られており、鋼板片１５により上方から押し付けることにより収縮して、鋼板片１５と水切板との隙間を密閉する。
また、前記水切板２３はパラペット４の上面を覆うように配置されており、屋外側の端部を外方向に屈曲した構成としている。
そして、前記水密材２１より屋内側であって鋼板片１５上方からビス等を打ち込むことで、鋼板片１５と前記水切板２３の隙間からの水の浸入を防止できるようにしているのである。
【００３１】
続いて、パラペット４側の出入隅部の防水構造について説明する。
図８（ａ）（ｂ）に示すように、パラペット４の入隅部の角部及び底部にはシート部材２９が配されるとともに、該シート部材２９の表面側の上部には防水下地材３０が配され、該防水下地材３０のシート部３０ｂの表面の上部に補強シート３２が配される構成としている。
【００３２】
前記シート部材２９は塩ビシート等で形成され、鋼板ユニット１０と一体的に構成されている。
また、前記防水下地材３０は、パラペット４に配置される鋼板部３０ａと、該鋼板部３０ａの表面に貼設されるシート部３０ｂとで構成されており、前記鋼板部３０ａを鋼板ユニット１０の鋼板片１５上にビス等を打ち込むことで固定するようにしている。なお、前記鋼板部３０ａは塩ビ鋼板で構成され、前記シート部３０ｂは塩ビシートで構成されているものである。
【００３３】
前記シート部３０ｂはパラペット４の内側面に沿うように貼り付けられ、鋼板ユニット１０との接着面にはシーリング材が充填されて接着面の隙間の防水を図っている。
また、前記シート部３０ｂの表面上であって、入隅部には塩ビシート等で構成される補強シート３２が配されており、痛み易い入隅の補強を図っているものである。
また、前記防水下地材３０のシート部３０ａと、鋼板ユニット１０の鋼板片１５及びシート部材１３ｂとの接着面にはそれぞれシーリング材が充填されており接着面の隙間の防水を図っている。
さらに、前記防水下地材３０のシート部３０ａ裏面に配置された鋼板部３０ａとパラペット上面との接着面には水密材２１が配されており、防水下地材３０の内部に雨水が浸入しないようにしている。
【００３４】
以上のような入隅部の構成により、パラペット入隅部の補強を図るとともに、防水性の向上を図ることができるのである。
【００３５】
また、図９（ａ）（ｂ）に示すように、パラペット４の出隅部の内側下角部には塩ビシート等の合成樹脂で構成されるシート部材３９が鋼板ユニット１０と一体的に構成されるとともに、該シート部材３９の表面上側には出隅部の形状に沿って形成された防水下地材３５が配置されて角部を覆っており、パラペット４の出隅部の防水を図っているものである。
【００３６】
前記防水下地材３５はパラペット４の上面に配置される鋼板部３５ａと、該鋼板部３５ａの表面側に貼設されるシート部３５ｂとから構成されている。
なお、前記鋼板部３５ａは塩ビ鋼板で形成され、前記シート部３５ｂは塩ビシートで形成されているため、鋼板部３５ａとシート部３５ｂとは溶着されて一体的に形成されているものである。
【００３７】
前記防水下地材３５のシート部３５ｂ及び鋼板部３５ａは鋼板ユニット１０の鋼板片１５上にビス等により固定されるとともに、パラペット４の上面との接合部には水密材２１が挟みこんで固定されており、前記シート部３０ｂと鋼板ユニット１０の鋼板片１５及びシート部材１３ｂとの接着面にはシーリング材が充填され、接合部に生じる隙間からの雨水の浸入を防止しているものである。
【００３８】
また、前記シート部３５ｂと鋼板ユニット１０のシート部１３ｂとの接着面にはシーリング材が充填されて、接着面の防水が図られているものである。
【００３９】
このように、パラペット４の出隅部にシート部材を重ねるように配置して、その接着面にシーリング材を充填したので、パラペットの痛み易く剥れ易い出隅部を補強できるとともに、防水性の向上を図ることができるのである。
【００４０】
続いて、隣接して配置される鋼板ユニット１０同士のジョイント部４９における防水構造について説明する。
図１０及び図１１に示すように、隣接する各鋼板ユニット１０・１０のジョイント部４９には粘着テープ（クラフトテープ）が貼設されて、両ユニット１０・１０を連結するとともに、該クラフトテープ上から防水シートとしてのパッチベルト４１を配置して、該パッチベルト４１と鋼板ユニット１０との接着面にシーリング材を充填して隙間を塞ぐようにしている。
【００４１】
前記クラフトテープ及びパッチベルト４１は、鋼板ユニット１０の底部から勾配屋根２とパラペット側４の両側に立ち上がって配置され、鋼板ユニット１０のシート部両端の位置に合わせて配置されており、各鋼板ユニット１０・１０のジョイント部４９を隈なく密閉できるようにしている。
【００４２】
また、ジョイント部４９に配置されたパッチベルト４１の上面であって、両側（勾配屋根２側とパラペット４側）の立ち上がり部には「く」字状に折曲された補強シート４２が配置されており、パッチベルト４１の立ち上がり部の補強を図っているものである。
また、前記パッチベルト４１上面であって鋼板ユニット１０の底部側には、保護シート４３がシーリング材によって貼り付けられており、該保護シート４３により防水層としてのパッチベルト４１を保護するようにしているものである。
【００４３】
以上のように、隣接して配置される各鋼板ユニット１０・１０のジョイント部４９に防水層としてクラフトテープ及びパッチベルト４１を配置するとともに、その立ち上がり部に補強シート４２を配置し、鋼板ユニット１０底部におけるパッチベルト４１上に保護シート４３を配置したので、パッチベルト４１にてジョイント部の防水を図るとともに、補強シート４２にて立ち上がり部の補強を図り、保護シート４３にてパッチベルト４１を保護して寿命の向上を図ることができるのである。そして、ジョイント部４９の防水性の向上を図ることができるのである。
【００４４】
次に、前記壁勝屋根２に設けられるドレイン部及びオーバーフロー管の構造及び、その防水構造について説明する。
壁勝屋根は意匠性の向上とともに、勾配屋根の雨樋としての機能を有するため、ドレイン部及び、オーバーフロー管を設けているものである。
壁勝屋根は、通常のバルコニー等とは異なりメンテナンスが行い難いため、万一、ドレイン部が詰って機能しなくなった場合のためオーバーフロー管を設けている。
【００４５】
図１２（ａ）に示すように、壁勝屋根の鋼板ユニット１０に、ドレイン孔が開口され、該ドレイン孔近傍の側壁に位置するパラペット下地板８にオーバーフロー管を取り付けるための孔４８が開口されている。該ドレイン孔上に配置される鋼板ユニット１０にはドレイン管４７が一体的に設けられており、鋼板ユニット１０に設けたドレイン管４７が前記ドレイン孔に挿通されるようにしている。そして、鋼板ユニット１０が上面に配されたドレイン管４７にはストレーナが挿し込まれるものである。
【００４６】
また、図１２（ｂ）に示すように、前記孔４８の表面側には鋼板ユニット１０のシート部材１３ｂが配置されるため、該孔４８の部分をカッター等でカットして、孔４８が外部に露出するようにしている。
そして、該孔４８にはオーバーフロー管３７が挿し込まれ、該オーバーフロー管３７にはストレーナが配置されるものである。
【００４７】
前記オーバーフロー管３７の端部にはシート部材３７ａが一体的に設けられており、該シート部材３７ａをパラペット側部に接着して、接着面にシーリング材を充填することで防水を図っている。
【００４８】
このように、オーバーフロー管３７をパラペット側部に設けた孔４７に挿し込んで、その接着面を防水加工しているので、壁勝屋根のドレイン部が詰ってしまった場合においても、壁勝屋根に溜まる雨水を前記オーバーフロー管３７を介して排水することができるのである。
【００４９】
なお、以上に説明した壁勝屋根の防水構造においては、勾配屋根２の屋根材に薄物屋根材を適用したものであるが、屋根材は平瓦等においても適用可能であり、屋根材の種類には関わらず防水を図ることができるものである。
【図面の簡単な説明】
【００５０】
【図１】本発明に係る屋根構造を示す側面断面図。
【図２】鋼板ユニットの構成を示す斜視図。
【図３】屋根側の防水構造を示す斜視図。
【図４】同じく側面断面図。
【図５】パラペット側の防水構造を示す斜視図。
【図６】同じく側面断面図。
【図７】パラペット上面の防水構造を示す拡大断面図。
【図８】パラペット入隅部の防水構造を示す斜視図。
【図９】パラペット出隅部の防水構造を示す斜視図。
【図１０】鋼板ユニットの勾配屋根側ジョイント部の防水構造を示す斜視図。
【図１１】同じくパラペット側ジョイント部の防水構造を示す斜視図。
【図１２】オーバーフロー管の取付構造を示す斜視図。
【図１３】従来の屋根側の防水構造を示す斜視図。
【図１４】従来のパラペット側の防水構造を示す斜視図。
【符号の説明】
【００５１】
１    壁勝屋根
２    勾配屋根
３    外壁
４    パラペット
５    野地板
６    軒先下地板
８    パラペット下地板
１０  鋼板ユニット
１２  鋼板
１３  シート部材
１３ａ  勾配屋根側シート部材
１３ｂ  パラペット側シート部材
１５  鋼板
２１  水密材
２３  水切板
４１  パッチベルト
４２  補強シート
４３  保護シート
４９  ジョイント部
【図１】
2005264601.tif 000003
【図２】
2005264601.tif 000004
【図３】
2005264601.tif 000005
【図４】
2005264601.tif 000006
【図５】
2005264601.tif 000007
【図６】
2005264601.tif 000008
【図７】
2005264601.tif 000009
【図８】
2005264601.tif 000010
【図９】
2005264601.tif 000011
【図１０】
2005264601.tif 000012
【図１１】
2005264601.tif 000013
【図１２】
2005264601.tif 000014
【図１３】
2005264601.tif 000015
【図１４】
2005264601.tif 000016